(57)【要約】【課題】本発明は、電子ペーパ及び認証方法に関し、比較的安価な構成で簡単に認証処理を行うことを目的とする。【解決手段】データを格納する記憶部と、データを表示するための表示部と、複数の受光部と、複数の受光部で受光したパターンに基づいて認証処理を行い予め登録されているパターンと一致すると表示部によるデータの表示を許可する制御部とを備えるように構成する。【選択図】図１
2007264127.tif 000002
【特許請求の範囲】
【請求項１】
データを格納する記憶部と、
該記憶部に格納されたデータを表示するための表示部と、
複数の受光部と、
該複数の受光部で受光したパターンに基づいて認証処理を行い予め登録されているパターンと一致すると該表示部による該データの表示を許可する制御部とを備えたことを特徴とする、電子ペーパ。
【請求項２】
該複数の受光部に対応させて配置された複数の発光部を更に備えたことを特徴とする、請求項１記載の電子ペーパ。
【請求項３】
該複数の受光部に対応させて配置され、該複数の受光部に照射される光を透過する複数の光透過部を更に備えたことを特徴とする、請求項１又は２記載の電子ペーパ。
【発明の詳細な説明】
【技術分野】
【０００１】
本発明は、電子ペーパに係り、特にセキュリティ機能を備えた電子ペーパに関する。本発明は、電子ペーパの認証方法にも関する。
【背景技術】
【０００２】
近年、記憶部と表示部とを備え、記憶部に格納したデータを表示部に表示する板状の装置が実用化されている。このような装置は、デジタルペーパ又は電子ペーパと呼ばれており、本明細書では、電子ペーパと言う。
【０００３】
従来、電子ペーパは単に格納しているデータを表示するだけのものであったが、最近では表示データのセキュリティが要求されるようになってきた。
【０００４】
セキュリティ機能を備えた電子ペーパは、例えば特許文献１又は特許文献２にて提案されている。
【特許文献１】特開２００１−１６０１１７号公報
【特許文献２】特開２００２−１０８２６７号公報
【発明の開示】
【発明が解決しようとする課題】
【０００５】
セキュリティ機能を備えた電子ペーパの場合、利用者認証処理を行い、利用者が予め登録されている正規の利用者であればデータの表示を許可する。しかし、認証用データを入力するためのキー等の入力部を電子ペーパに設けるのでは、電子ペーパの構造が複雑となり電子ペーパが高価なものになってしまう。又、電子ペーパに認証処理用の専用の端子を設け、パーソナルコンピュータ等から認証用データを入力するのでは、電子ペーパに認証処理用の専用の端子を設ける必要があると共に、電子ペーパ単体では認証処理を行えない。
【０００６】
このように、従来のセキュリティ機能を備えた電子ペーパでは、比較的安価な構成で簡単に認証処理を行うことができないという問題があった。
【０００７】
そこで、本発明は、比較的安価な構成で簡単に認証処理を行うことができる電子ペーパ及び認証方法を提供することを目的とする。
【課題を解決するための手段】
【０００８】
上記の課題は、データを格納する記憶部と、該記憶部に格納されたデータを表示するための表示部と、複数の受光部と、該複数の受光部で受光したパターンに基づいて認証処理を行い予め登録されているパターンと一致すると該表示部による該データの表示を許可する制御部とを備えたことを特徴とする電子ペーパによって達成できる。
【０００９】
上記の課題は、データを格納する記憶部と、該記憶部に格納されたデータを表示するための表示部と、複数の受光部と、該複数の受光部で受光したパターンに基づいて認証処理を行い予め登録されているパターンと一致すると該表示部による該データの表示を許可する制御部とを備えた電子ペーパの認証方法であって、該予め登録されているパターンに対応する受光部のみに光を案内する案内部を有する鍵部材を、該電子ペーパと所定の位置関係で重ね合わせて光を選択的に受光部に照射することを特徴とする認証方法によっても達成できる。
【発明の効果】
【００１０】
本発明によれば、比較的安価な構成で簡単に認証処理を行うことができる電子ペーパ及び認証方法を実現することができる。
【発明を実施するための最良の形態】
【００１１】
本発明の電子ペーパは、データを格納する記憶部と、記憶部に格納されたデータを表示するための表示部と、複数の受光部と、受光部で受光したパターンに基づいて認証処理を行い予め登録されているパターンと一致すると表示部によるデータの表示を許可する制御部とを備える。
【００１２】
認証処理を行う際には、光を選択的に受光部に照射する。予め登録されているパターンに対応する受光部のみに光が照射されないとデータが表示されないので、データのセキュリティを確保することができると共に、比較的安価な構成で簡単に認証処理を行うことができる。又、電子ペーパに認証処理用のキー等の入力部を設けたり、認証処理用の専用の端子を設けたりする必要がない。更に、認証処理を行うために、電子ペーパにパーソナルコンピュータ等から認証用データを入力する必要もない。
【００１３】
マスク等の鍵部材を介して光を選択的に受光部に照射することもできる。この場合、正規の鍵部材を使用しないと、予め登録されているパターンに対応する受光部のみに光が照射されないので、データのセキュリティを確保することができると共に、比較的安価な構成で簡単に認証処理を行うことができる。
【００１４】
更に、別の電子ペーパを鍵部材として用いることで、電子ペーパの利便性が更に向上する。
【００１５】
以下に、本発明の電子ペーパ及び認証方法の各実施例を、図面と共に説明する。
【実施例１】
【００１６】
図１は、本発明の第１実施例を示す図である。図１に示す電子ペーパ１−１は、複数の受光部２を有する。受光部２は、光センサ等で構成され、電子ペーパ１−１の上側の面に設けられている。各受光部２の位置は特に限定されない。本実施例では、表示部３が電子ペーパ１−１の下側の面に設けられているので、受光部２は反対側である電子ペーパ１−１の上側の面に設けられているが、受光部２と表示部３を電子ペーパ１−１の同じ面に設けても良い。この場合、表示部３の連続した面積を大きくとれるように、受光部２は電子ペーパ１−１の周辺部に配置されていることが望ましい。尚、電子ペーパ１−１の基本構成は、周知の電子ペーパ１−１と同様の基本構成で良く、電子ペーパ１−１自体は柔軟性を有するものであっても良い。
【００１７】
受光部２の出力信号を処理する信号処理系（制御部）については後述するが、特定の受光部２のみが光を検知した場合に電子ペーパ１−１内に格納されているデータの表示部３への表示が許可される。つまり、信号処理系では、複数の受光部２で受光したパターンに基づいて認証処理を行い、予め登録されているパターンと一致すると表示部３によるデータの表示を許可する。電子ペーパ１−１の特定の受光部２のみに光を照射する方法は特に限定されないが、以下の説明では、鍵部材１１−１を用いるものとする。鍵部材１１−１は、電子ペーパ１−１に対して周知の方法で位置合わせ可能な構成を有し、電子ペーパ１−１上に重ね合わされる。鍵部材１１−１は、好ましくは電子ペーパ１−１と同様の形状と大きさを有する。鍵部材１１−１には、電子ペーパ１−１の上に重ね合わされた状態で特定の受光部２のみに外部光源からの光を案内する案内部１２−１を有する。案内部１２−１は、光を透過する構成であれば特に限定されず、穴であっても、光透過性材料が埋め込まれた構成であっても、レンズ等の光学系を含む構成であっても良い。外部光源からの光は、自然光であっても室内光であっての良い。
【００１８】
又、鍵部材１１−１自体も電子ペーパであっても良く、柔軟性を有するものであっても良い。
【実施例２】
【００１９】
図２は、本発明の第２実施例を示す図である。図２中、図１と同一部分には同一符号を付し、その説明は省略する。図２に示す電子ペーパ１−２は、複数の発光部４を有する。発光部４は、発光塗料が塗られた部材や発光ダイオード等で構成され、電子ペーパ１−２の上側の面、即ち、受光部２と同じ面に設けられている。各発光部４の位置は特に限定されないが、発光部４から出射された光を対応する受光部４に導き易い位置に設けることが望ましい。発光部４は、各受光部４に対して設けられていることが望ましいが、図２では説明の便宜上、特定の受光部２のみに対して設けられている。
【００２０】
鍵部材１１−２には、電子ペーパ１−２の上に重ね合わされた状態で特定の受光部２のみに発光部４からの光を案内する案内部１２−２を有する。案内部１２−２は、光を反射して対応する受光部２に案内する構成であれば特に限定されず、平面形状の１又は複数の反射面により形成される凹部であっても、その凹部に光透過性材料が埋め込まれた構成であっても、その凹部に更にレンズ等の光学系を含む構成であっても良い。
【００２１】
又、鍵部材１１−２自体も電子ペーパであっても良く、柔軟性を有するものであっても良い。
【実施例３】
【００２２】
図３は、本発明の第３実施例を示す図である。図３中、図２と同一部分には同一符号を付し、その説明は省略する。図３に示す鍵部材１１−３には、電子ペーパ１−３の上に重ね合わされた状態で特定の受光部２のみに発光部４からの光を案内する案内部１２−３を有する。案内部１２−３は、光を反射して対応する受光部２に案内する構成であれば特に限定されず、球面形状の反射面により形成される凹部であっても、その凹部に光透過性材料が埋め込まれた構成であっても、その凹部に更にレンズ等の光学系を含む構成であっても良い。
【００２３】
又、鍵部材１１−３自体も電子ペーパであっても良く、柔軟性を有するものであっても良い。
【実施例４】
【００２４】
図４は、本発明の第４実施例を示す図である。図４中、図２と同一部分には同一符号を付し、その説明は省略する。図４に示す鍵部材１１−４には、電子ペーパ１−４の上に重ね合わされた状態で特定の受光部２のみに発光部４からの光を案内する案内部１２−４を有する。案内部１２−４は、光を反射して対応する受光部２に案内する構成であれば特に限定されず、楕円形状の反射面により形成される凹部であっても、その凹部に光透過性材料が埋め込まれた構成であっても、その凹部に更にレンズ等の光学系を含む構成であっても良い。図４に示す状態で発光部４の中心と楕円の短軸（又は、長軸）の中心とが一致するような配置とすることで、発光部４からの光はどの方向へ進んでも楕円の長軸（又は、短軸）の中心に到達するので、受光部２の中心が楕円の長軸（又は、短軸）の中心と一致するように配置することで、光を効率的に検知することができる。
【００２５】
又、鍵部材１１−４自体も電子ペーパであっても良く、柔軟性を有するものであっても良い。
【実施例５】
【００２６】
図５は、本発明の第５実施例を示す図である。図５中、図２と同一部分には同一符号を付し、その説明は省略する。図５に示す電子ペーパ１−５には、鍵部材１１−５の上に重ね合わされた状態で特定の受光部２のみに外部光源からの光を案内する案内部５を有する。案内部５は、図１に示す鍵部材１−１の案内部１２−１と同様に、光を透過する構成であれば特に限定されず、穴であっても、光透過性材料が埋め込まれた構成であっても、レンズ等の光学系を含む構成であっても良い。
【００２７】
鍵部材１１−５には、電子ペーパ１−５がその上に重ね合わされた状態で特定の受光部２のみに外部光源からの光を案内する案内部１２−５を有する。案内部１２−５は、例えば図４に示す案内部１２−４と同様の構成を有する。
【００２８】
又、鍵部材１１−５自体も電子ペーパであっても良く、柔軟性を有するものであっても良い。更に、図５において、電子ペーパ１−５が鍵部材として機能し、鍵部材１１−５が電子ペーパとして機能しても良い。
【実施例６】
【００２９】
図６は、本発明の第６実施例を示す図である。図６に示す電子ペーパ１−６は、所定の位置にスイッチ６が設けられている以外は、上記第１〜第５実施例のいずれかと同様の構成を有する。鍵部材１１−６は、所定の位置にスイッチ１６が設けられている以外は、上記第１〜第５実施例のいずれかと同様の、組み合わせて使用される電子ペーパ１−６に適合した構成を有する。鍵部材１１−６は、好ましくは電子ペーパ１−６と同様の形状と大きさを有する。
【００３０】
対応するスイッチ６，１６は、電子ペーパ１−６が鍵部材１１−６の上に重ね合わされた状態で作動する（即ち、オンとなる）構成となっており、電子ペーパ１−６と鍵部材１１−６の位置合わせ手段としても機能する。位置合わせ手段は、スイッチ６，１６が互いに係合して作動する位置で位置決めされるように、例えばスイッチ６，１６の一方に凹部を設け他方に凹部と係合する凸部を設けたものであっても良い。スイッチ６が作動すると、電子ペーパ１−６の電源がオンとなり、受光部、発光部や信号処理系等がアクティブ状態に制御される。スイッチ１６が作動すると、鍵部材１１−６が電子ペーパの場合は、この電子ペーパの電源がオンとなる。鍵部材１１−６が上記第１実施例の鍵部材１１−１の如き構成を有する場合には、スイッチ１６は、重ね合わされた電子ペーパ１−６の対応するスイッチ６を作動させるダミースイッチとして機能するものであれば良い。
【００３１】
本実施例によれば、電子ペーパ１−６用の鍵部材１１−６が電子ペーパ１−６に重ね合わされないと電子ペーパ１−６の電源がオンにならないので、電子ペーパ１−６の不要な消費電力を低減することができる。又、鍵部材１１−６が電子ペーパの場合には、鍵部材１１−６の不要な消費電力も同様に低減することができる。
【００３２】
（電子ペーパの内部構成）
次に、電子ペーパの内部構成を説明する。図７は、重ね合わされる電子ペーパ１１，１の断面図を示し、電子ペーパ１１は鍵部材として機能するものとする。図７中、図２及び図６と同一部分には同一符号を付し、その説明は省略する。
【００３３】
電子ペーパ１１は、案内部１２、薄型パネル等からなる表示部１３、スイッチ１６、ＲＦＩＤタグ３１、ＲＦＩＤリーダ３２、無線ＬＡＮ又はブルーツース（Bluetooth）受信部３３、太陽電池又は充電池等からなる電力供給部３４、制御部３５及びメモリ等からなる記憶部３６を有する。
【００３４】
電子ペーパ１は、受光部２、表示部３、発光部４、スイッチ６、薄型パネル等からなる表示部１３、スイッチ１６、ＲＦＩＤタグ４１、ＲＦＩＤリーダ４２、無線ＬＡＮ又はブルーツース（Bluetooth）受信部４３、太陽電池又は充電池等からなる電力供給部４４、制御部４５及びメモリ等からなる記憶部４６を有する。
【００３５】
尚、電子ペーパ１が鍵部材として機能するものであっても良いことは言うまでもない。
【００３６】
図８は、電子ペーパ１，１１を、書き込み装置６０及び利用者情報送信装置５０と共に示す図である。
【００３７】
ＲＦＩＤタグ３１は、情報送信部３７を構成する。ＲＦＩＤタグ４１は、発光部４と共に情報送信部４７を構成する。
【００３８】
無線ＬＡＮ又はブルーツース受信部３３は、ＲＦＩＤ５１や携帯電話５２等の利用者情報送信装置５０からの利用者情報等を受信可能であり、対応するＲＦＩＤリーダ３２と共に情報受信部３８を構成する。ＲＦＩＤ５１は、例えばカード５４等に内蔵されていても良い。無線ＬＡＮ又はブルーツース受信部４３は、利用者情報送信装置５０からの利用者情報等を受信可能であり、対応するＲＦＩＤリーダ４２及び受光部２と共に情報受信部４８を構成する。
【００３９】
利用者情報送信装置５０は、入力部５１、制御部５５、記憶部５６、情報送信部５７及び情報受信部５８を有する。利用者情報送信装置５０は、制御部５５の制御下で、情報送信部５７から利用者情報等を送信可能である。
【００４０】
書き込み装置６０は、キーボード等からなる入力部６１、表示部６３、電力供給部６４、記憶部６６、情報送受信部６７及び制御部６９を有する。書き込み装置６０は、パーソナルコンピュータ等で構成されており、入力部６１から入力された指示に基づいて、記憶部６６に格納されているデータを表示部６３に表示して制御部６９により必要に応じてデータを編集し、情報送受信部６７から、データを格納して表示するべき電子ペーパ１に送信する。又、書き込み装置６０は、電子ペーパ１の制御部４５が、複数の受光部２で受光したパターンに基づいて認証処理を行い、予め登録されているパターンと一致すると表示部３によるデータの表示を許可するようにするための電子ペーパ１に対する登録処理も行う。
【００４１】
（電子ペーパへの登録処理）
図９は、書き込み装置６０の電子ペーパ１への登録処理を説明するフローチャートである。図９に示す処理は、書き込み装置６０の制御部６９により実行される。
【００４２】
図９において、ステップＳ１は、電子ペーパ１，１１の情報送信部４７，３７から送信されてくる電子ペーパ１，１１の識別（ＩＤ）情報を受信する。ステップＳ２は、電子ペーパ１の受光部２で検知され情報送信部４７から送信されてくるパターン情報を受信する。これにより、例えば図１０に示すテーブルが作成される。図１０に示すテーブルは、電子ペーパ１のＩＤ情報ＩＤ１、電子ペーパ１１のＩＤ情報ＩＤ２及び電子ペーパ１から得られたパターン情報ＳＮＳＲ−１，ＳＮＳＲ−２，...を含む。電子ペーパ１の全ての発光部４から光が出射されても、電子ペーパ１１の対応する箇所に案内部１２が形成されていないと対応する受光部２では光が検知されないので、図１０に示すように、電子ペーパ１の上に重ね合わされる電子ペーパ１１によってパターン情報ＳＮＳＲ−１，ＳＮＳＲ−２，...の内容が異なる。尚、図１０において、ＩＤ情報は４ビットであり、パターン情報ＳＮＳＲ−１，ＳＮＳＲ−２，...は例えば受光部２で光が検知された場合に「１」、検知されない場合に「０」である。
【００４３】
ステップＳ３は、書き込み装置６０の入力部６１から登録指示が入力されたか否かを判定する。ステップＳ３の判定結果がＮＯであると、ステップＳ４は一定期間待ってから処理をステップＳ１へ戻す。他方、ステップＳ３の判定結果がＹＥＳであると、ステップＳ５は、電子ペーパ１が書き込み可能であるか否かを判定する。ステップＳ５の判定結果がＮＯであると、電子ペーパ１に対する登録処理を行うことはできないので、処理は終了する。ステップＳ５の判定結果がＹＥＳであると、ステップＳ６は、電子ペーパ１１を電子ペーパ１に重ね合わせた場合に得られるパターン情報を電子ペーパ１の記憶部４６に格納し、処理は終了する。
【００４４】
尚、電子ペーパ１の記憶部４６に格納されるパターン情報は、後述する図１２に示すように、重ね合わされる電子ペーパ１１のＩＤ情報と共に、複数の電子ペーパ１１に対して認識テーブルの形で格納されても良い。
【００４５】
又、電子ペーパ１１の記憶部３６に、組み合わせて使用される電子ペーパ１のＩＤ情報を格納するようにしても良い。この場合、電子ペーパ１１が格納しているＩＤ情報を有する電子ペーパ１と組み合わされた場合にのみ電子ペーパ１１のＩＤ情報が情報送信部３７から送信されるようにすることもできる。電子ペーパ１が記憶部４６に格納されている組み合わせて使用されるべき電子ペーパ１１のＩＤ情報を受信しないと、表示データの少なくとも一部をマスクすることもできる。
【００４６】
更に、電子ペーパ１の記憶部４６に、電子ペーパ１を使用する区域に関する位置情報を記憶部４６に格納するようにしても良い。この場合、電子ペーパ１が記憶部４６に格納されている位置情報の区域内にないと、表示データの少なくとも一部をマスクすることもできる。
【００４７】
（重ね合わせ認識処理）
図１１は、電子ペーパ１，１１の重ね合わせ認識処理を説明するフローチャートである。図１１に示す処理は、電子ペーパ１の制御部４５により実行される。この場合、上記登録処理により、図１２に示す認識テーブルが電子ペーパ１の記憶部４６に予め格納されているものとする。図１２中、ＦＬＧ−Ａ，ＦＬＧ−Ｂ，...は、予め登録されているパターン情報である。
【００４８】
図１１において、ステップＳ１１は、認識テーブルの項目番号Ｎｏ．を「０」に設定すると共に、変数Ｊを「０」に設定する。ステップＳ１２は、電子ペーパ１のいずれかの受光部２が光を検知したか否かを判定し、判定結果がＮＯであると処理は終了する。ステップＳ１２の判定結果がＹＥＳであると、ステップＳ１３は、変数Ｊが認識テーブルに登録されている項目番号Ｎｏ．の最大値（即ち、登録数）Ｍより小さいか否かを判定する。ステップＳ１３の判定結果がＮＯであると、ステップＳ１４は一定時間待ってから処理をステップＳ１１へ戻す。
【００４９】
ステップＳ１３の判定結果がＹＥＳであると、ステップＳ１５は、電子ペーパ１の受光部２で検知されたパターンと、認識テーブルの項目番号Ｊのパターンが一致するか否かを判定する。ステップＳ１５の判定結果がＮＯであると、ステップＳ１６は変数ＪをＪ＝Ｊ＋１と「１」だけインクリメントし、処理はステップＳ１３へ戻る。
【００５０】
他方、ステップＳ１５の判定結果がＹＥＳであると、ステップＳ１７は、電子ペーパ１に重ね合わされた電子ペーパ１１のＩＤ情報が、認識テーブルの項目番号Ｊに記載されているＩＤ情報であると判断する。又、ステップＳ１８は、電子ペーパ１の受光部２で検知されたパターンと一致するパターンが認識テーブルに記載されているので、電子ペーパ１に対して予め登録されている電子ペーパ１１が重ね合わされたと判断し、記憶部４６に格納されているデータの表示部３上への表示を許可し、処理は終了する。このようにして、電子ペーパ１の制御部４５は、複数の受光部２で受光したパターンに基づいて認証処理を行い、記憶部４６に予め登録されているパターンと一致すると表示部３によるデータの表示を許可するので、電子ペーパ１の記憶部４６に格納されているデータのセキュリティを確保することができると共に、比較的安価な構成で簡単に認証処理を行うことができる。更に、電子ペーパ１の制御部４５は、データを一定時間表示部３に表示後、データの表示を自動的に終了する構成としても良い。
【００５１】
（表示データのマスク）
次に、電子ペーパ１の表示部３による表示が許可されたデータの少なくとも一部をマスクする場合の動作について説明する。ＩＤ情報、利用者情報及び位置情報の少なくとも１つの情報に基づいて表示データの少なくとも一部をマスクすることで、セキュリティを更に向上することができる。
【００５２】
図１３は、電子ペーパ１における表示データのマスクを説明する図である。例えば、書き込み装置６０による電子ペーパ１，１１に対する登録処理が区域８０−１において行われたとする。
【００５３】
例えば、電子ペーパ１の記憶部４６に区域８０−３を示す位置情報が格納されていれば、区域８０−２において電子ペーパ１，１１を重ね合わせても、区域８０−２内の携帯電話５２等の利用者情報送信装置５０から電子ペーパ１（又は電子ペーパ１１）に送信される位置情報は記憶部４６に格納された位置情報と一致しないので、表示が許可されたデータの少なくとも一部を周知の方法でマスクする。
【００５４】
又、電子ペーパ１の記憶部４６に電子ペーパ１の正規の利用者を示す利用者情報が更に格納されていれば、区域８０−３において電子ペーパ１，１１を重ね合わせても、区域８０−３内の携帯電話５２等の利用者情報送信装置５０から電子ペーパ１に送信される利用者情報が記憶部４６に格納された利用者情報と一致しないと、位置情報が一致しても表示が許可されたデータの少なくとも一部を周知の方法でマスクする。
【００５５】
従って、電子ペーパ１の記憶部４６に区域８０−３を示す位置情報と正規の利用者を示す利用者情報が格納されていれば、区域８０−３において電子ペーパ１，１１を重ね合わせて、区域８０−３内の携帯電話５２等の利用者情報送信装置５０から電子ペーパ１（又は電子ペーパ１１）に送信される位置情報と区域８０−３内の携帯電話５２等の利用者情報送信装置５０から電子ペーパ１に送信される利用者情報が記憶部４６に格納された位置情報と一致すると、表示が許可されたデータの全てがマスクされることなく表示部３に表示される。
【００５６】
尚、利用者情報をグループ化して、同じグループの利用者であれば表示が許可されたデータがマスクされないようにすることもできる。又、グループ毎に、表示が許可されたデータのうちマスクする表示領域等を異ならせることもできる。
【００５７】
図１４は、鍵部材として機能する電子ペーパ１１の制御部３５の動作を説明するフローチャートである。
【００５８】
図１４において、電子ペーパ１１が電子ペーパ１の上に重ね合わされると、ステップＳ４１は、電子ペーパ１のＩＤ情報が情報受信部３８により受信されたか否かを判定する。ステップＳ４１の判定結果がＹＥＳであると、ステップＳ４２は、受信されたＩＤ情報が記憶部３６に予め格納されているＩＤ情報、即ち、登録済みのＩＤ情報であるか否かを判定する。ステップＳ４２の判定結果がＹＥＳであると、ステップＳ４３は、一定時間だけ電子ペーパ１１自体のＩＤ情報を情報送信部３７から電子ペーパ１へ送信し、処理は終了する。尚、ステップＳ４１又はＳ４２の判定結果がＮＯであると、処理は終了する。
【００５９】
図１５は、電子ペーパ１の制御部４５の動作を説明するフローチャートである。
【００６０】
図１５において、電子ペーパ１１が電子ペーパ１の上に重ね合わされると、ステップＳ３１は、情報受信部４８が利用者情報送信装置５０からの利用者情報を受信したか否かを判定する。ステップＳ３１の判定結果がＹＥＳであると、ステップＳ３２は、利用者情報が記憶部４６に予め格納されている利用者情報、即ち、登録済みの利用者情報であるか否かを判定する。ステップＳ３２の判定結果がＹＥＳであると、ステップＳ３３は、情報受信部４８が電子ペーパ１１の情報送信部３７から送信される電子ペーパ１１のＩＤ情報を受信したか否かを判定する。ステップＳ３３の判定結果がＹＥＳであると、ステップＳ３４は、表示部３への表示が許可されたデータのうち、受信した利用者情報に対して予め設定されている部分をマスクする。又、ステップＳ３５は、情報受信部４８が電子ペーパ１１のＩＤ情報を受信している一定時間の間だけマスクされたデータを表示部３上に表示し、処理は終了する。ステップＳ３１又はＳ３２又はＳ３３の判定結果がＮＯであると、処理は終了する。
【００６１】
尚、受信した利用者情報に対して予め設定されているマスクする部分に関する情報は、電子ペーパ１の記憶部４６に格納しておけば良く、利用者情報によってはマスクする部分が無い、即ち、表示が許可されたデータの全てを表示部３に表示するようにしても良いことは言うまでもない。更に、利用者情報によっては、マスクする部分を表示が許可されたデータの全てに設定することで、実質的に認証処理を、受光部２の検知パターンのみではなく、検知パターン及び利用者パターン及び／又は位置情報に基づいて行うこともできる。
【００６２】
又、位置情報に対しては、図１４においてステップＳ４１の前又はステップＳ４２の後に、利用者情報送信装置５０から電子ペーパ１の位置情報を受信したか否かを判定するステップを設け、これらの判定結果がＮＯの場合には処理を終了すれば良い。又、電子ペーパ１側で位置情報を処理する場合には、図１５のステップＳ３１，Ｓ３２と同様にして、例えばステップＳ３１の前又はステップＳ３２の後に、利用者情報送信装置５０から電子ペーパ１の位置情報を受信したか否かを判定するステップと、判定結果がＹＥＳであると受信された位置情報が登録済みの位置情報であるか否かを判定するステップとを設け、これらの判定結果がＮＯの場合には処理を終了すれば良い。
【００６３】
図１６は、電子ペーパ１の表示部３への表示が許可されたデータのうち、一部をマスクする場合を説明する図である。図１６中、（ａ）は表示部３に表示が許可された全てのデータを表示した状態を示し、（ｂ）は利用者情報に従って一部をマスクした状態を示す。このように、例えば第１の利用者に対しては許可された全てのデータを表示し（マスク無し）、第２の利用者に対しては許可されたデータの一部をマスクして表示することができるので、利用者毎、或いは、利用者グループ毎にマスクする部分を変えてデータのセキュリティを高い柔軟性をもって確保することができる。
【００６４】
図１６（ａ）に示すマスク用黒バーは、 表示部３に予め印刷されていても良い。この場合、表示データの表示位置を下方向にシフトすることで、図１６（ｂ）に示すようにデータの一部をマスクすることができる。又、図１６（ａ）に示すマスク用黒バーも表示する場合には、マスク用黒バーの表示位置を上方向にシフトすることで、図１６（ｂ）に示すようにデータの一部をマスクすることができる。印刷されるか表示されるマスク用の領域は、バー形状のものに限定されず、各種形状の領域をマスク用の領域として使用可能である。
【００６５】
ところで、携帯電話５２等の利用者情報送信装置５０がＧＰＳにより電子ペーパ１が使用される区域の位置情報を送信する場合、地下等の区域の環境によっては利用者情報送信装置５０がＧＰＳの位置情報を入手できない場合がある。そこで、電子ペーパ１が一旦位置情報を受信した後は、位置情報が入手できなくなっても、一定時間は利用者情報送信装置５０から電子ペーパ１に位置情報を送信可能として、一定時間は表示部３への表示が許可されたデータを表示可能とするようにしても良い。
【００６６】
図１７は、利用者情報送信装置５０の動作を説明するフローチャートである。図１７に示す処理は、利用者情報送信装置５０の制御部５５により実行される。
【００６７】
ステップＳ７１は、入力部５１から終了指示が入力されたか否かを判定し、判定結果がＹＥＳであると処理は終了する。ステップＳ７１の判定結果がＮＯであると、ステップＳ７２は、入力部５１から位置情報の取得指示が入力されたか否かを判定する。ステップＳ７２の判定結果がＹＥＳであると、ステップＳ７３は、ＧＰＳ等により位置情報を取得して記憶部５６に格納し、位置情報を取得できなければそのままステップＳ７４へ進む。ステップＳ７４は、現在の時刻Ｔ１を例えば制御部５５内のタイマから取得して記憶部５６に格納する。ステップＳ７５は、一定秒数待ってから処理をステップＳ７１へ戻す。
【００６８】
他方、ステップＳ７２の判定結果がＮＯであると、ステップＳ７６は、入力部５１から電子ペーパ１への情報送信指示が入力されたか否かを判定し、判定結果がＮＯであると処理はステップＳ７１へ戻る。ステップＳ７６の判定結果がＹＥＳであると、ステップＳ７７は、現在の時刻Ｔ２を例えば制御部５５内のタイマから取得し、記憶部５６に格納する。ステップＳ７８は、（Ｔ１＋Ｔｎ）<Ｔ２（Ｔｎは任意の時間）であるか否かを判定し、判定結果がＮＯであると処理はステップＳ７１へ戻る。ステップＳ７８の判定結果がＹＥＳであると、ステップＳ７９は、ステップＳ７３で取得した位置情報を情報送信部５７から電子ペーパ１へ送信し、処理はステップＳ７１へ戻る。これにより、電子ペーパ１が一旦位置情報を受信した後は、位置情報が入手できなくなっても、一定時間Ｔｎ<（Ｔ２−Ｔ１）は利用者情報送信装置５０から電子ペーパ１に位置情報を送信可能として、一定時間は表示部３への表示が許可されたデータを表示可能になる。
【００６９】
尚、本発明は、以下に付記する発明をも包含するものである。
（付記１）  データを格納する記憶部と、
該記憶部に格納されたデータを表示するための表示部と、
複数の受光部と、
該複数の受光部で受光したパターンに基づいて認証処理を行い予め登録されているパターンと一致すると該表示部による該データの表示を許可する制御部とを備えたことを特徴とする、電子ペーパ。
（付記２）  該複数の受光部に対応させて配置された複数の発光部を更に備えたことを特徴とする、付記１記載の電子ペーパ。
（付記３）  該複数の受光部に対応させて配置され、該複数の受光部に照射される光を透過する複数の光透過部を更に備えたことを特徴とする、付記１又は２記載の電子ペーパ。
（付記４）  該表示部は第１の面に設けられ、該複数の受光部は該第１の面とは反対側の第２の面に設けられていることを特徴とする、付記１〜３のいずれか１項記載の電子ペーパ。
（付記５）  該複数の受光部を光検知状態又は光非検知状態に制御するスイッチを更に備えたことを特徴とする、付記１〜４のいずれか１項記載の電子ペーパ。
（付記６）  データを格納する記憶部と、該記憶部に格納されたデータを表示するための表示部と、複数の受光部と、該複数の受光部で受光したパターンに基づいて認証処理を行い予め登録されているパターンと一致すると該表示部による該データの表示を許可する制御部とを備えた電子ペーパの認証方法であって、
該予め登録されているパターンに対応する受光部のみに光を案内する案内部を有する鍵部材を、該電子ペーパと所定の位置関係で重ね合わせて光を選択的に受光部に照射することを特徴とする、認証方法。
（付記７）  該案内部は、該予め登録されているパターンに対応する受光部のみに光を反射することを特徴とする、付記６記載の認証方法。
（付記８）  該電子ペーパは、該複数の受光部を光検知状態又は光非検知状態に制御するスイッチを更に備え、
該鍵部材と該電子ペーパが該所定の位置関係で重ね合わされると、該スイッチが該複数の受光部を光検知状態に制御することを特徴とする、付記６又は７記載の認証方法。
（付記９）  該鍵部材として、別の電子ペーパを用いることを特徴とする、付記６〜８のいずれか１項記載の認証方法。
（付記１０）  該電子ペーパは、該複数の受光部に対応させて配置された複数の発光部を更に備え、
該鍵部材と該電子ペーパが該所定の位置関係で重ね合わされると、該鍵部材の案内部が該発光部からの光を対応する受光部へ案内することを特徴とする、付記６〜９のいずれか１項記載の認証方法。
（付記１１）  該鍵部材の識別情報、該電子ペーパの利用者情報及び該電子ペーパの位置情報の少なくとも１つの情報に基づいて、該表示部による表示が許可されたデータの少なくとも一部をマスクすることを特徴とする、付記６〜１０のいずれか１項記載の認証方法。
【００７０】
以上、本発明を実施例により説明したが、本発明は上記実施例に限定されるものではなく、本発明の範囲内で種々の変形及び改良が可能であることは言うまでもない。
【図面の簡単な説明】
【００７１】
【図１】本発明の第１実施例を示す図である。
【図２】本発明の第２実施例を示す図である。
【図３】本発明の第３実施例を示す図である。
【図４】本発明の第４実施例を示す図である。
【図５】本発明の第５実施例を示す図である。
【図６】本発明の第６実施例を示す図である。
【図７】重ね合わされる電子ペーパを示す断面図である。
【図８】電子ペーパを書き込み装置及び利用者情報送信装置と共に示す図である。
【図９】書き込み装置の電子ペーパへの登録処理を説明するフローチャートである。
【図１０】電子ペーパのＩＤ情報とパターン情報の関係を示すテーブルを示す図である。
【図１１】重ね合わせ認識処理を説明するフローチャートである。
【図１２】認識テーブルを示す図である。
【図１３】表示データのマスクを説明する図である。
【図１４】鍵部材として機能する電子ペーパの制御部の動作を説明するフローチャートである。
【図１５】電子ペーパの制御部の動作を説明するフローチャートである。
【図１６】表示が許可されたデータの一部をマスクする場合を説明する図である。
【図１７】利用者情報送信装置の動作を説明するフローチャートである。
【符号の説明】
【００７２】
１，１−１〜１−６      電子ペーパ
２      受光部
３      表示部
４      発光部
１１，１１−１〜１１−６      鍵部材
１２，１２−１〜１２−５      案内部
【図１】
2007264127.tif 000003
【図２】
2007264127.tif 000004
【図３】
2007264127.tif 000005
【図４】
2007264127.tif 000006
【図５】
2007264127.tif 000007
【図６】
2007264127.tif 000008
【図７】
2007264127.tif 000009
【図８】
2007264127.tif 000010
【図９】
2007264127.tif 000011
【図１０】
2007264127.tif 000012
【図１１】
2007264127.tif 000013
【図１２】
2007264127.tif 000014
【図１３】
2007264127.tif 000015
【図１４】
2007264127.tif 000016
【図１５】
2007264127.tif 000017
【図１６】
2007264127.tif 000018
【図１７】
2007264127.tif 000019